(57)【要約】【課題】  採光用窓のデザイン性を高めた斬新なドアの提供。【解決手段】  表側又は裏側に配置したドアパネル１ａと、ドアパネル１ａと対向して配置した透光性パネル２とを備え、ドアパネル１ａには、透光性パネル２が配置された位置に採光用小窓３が複数形成してある。【選択図】      図１
2010275730.tif 000002
【特許請求の範囲】
【請求項１】
表側又は裏側に配置したドアパネルと、ドアパネルと対向して配置した透光性パネルとを備え、ドアパネルには、透光性パネルが配置された位置に採光用小窓が複数形成してあることを特徴とするドア。
【請求項２】
表裏のドアパネルと、ドア内部に配置した透光性パネルとを備え、表裏何れか一方のドアパネルには、透光性パネルが配置された位置に採光用小窓が複数形成してあり、他方のドアパネルには、透光性パネルの略全域にわたる開口部が形成してあることを特徴とするドア。
【請求項３】
表裏のドアパネルと、ドア内部に配置した透光性パネルとを備え、表裏何れか一方のドアパネルには、透光性パネルが配置された位置に採光用小窓が複数形成してあり、他方のドアパネルには、複数の採光用小窓を囲むように開口部が形成してあることを特徴とするドア。
【請求項４】
複数の採光用小窓が集まって一つの模様を構成していることを特徴とする請求項１，２又は３記載のドア。
【請求項５】
ドアパネルと透光性パネルとの間に所定の間隔を有し、採光用小窓には透光性パネルに向けて延びる内周縁部を有することを特徴とする請求項１，２，３又は４記載のドア。
【請求項６】
ドアパネルと透光性パネルとの間に所定の間隔を有し、採光用小窓にキャップが嵌め込んであり、キャップの先端部が透光性パネルに当接又は近接していることを特徴とする請求項１，２，３，４又は５記載のドア。
【請求項７】
ドアパネルと透光性パネルとの間に所定の間隔を有し、ドアパネルと透光性パネルとの間の間隔にスペーサーを配置したことを特徴とする請求項１，２，３，４，５又は６記載のドア。
【発明の詳細な説明】
【技術分野】
【０００１】
本発明は、玄関等に用いられるドアに関する。
【背景技術】
【０００２】
玄関等に用いられるドアとして、四周枠組みした枠体の表裏に鋼板等を使用したパネルを貼り付けて構成したものが知られている（例えば、特許文献１参照。）。かかるドアにおいては、ドアの一部に採光用窓を設けることが一般的に行われており、採光用窓は表裏のパネルに開口部を形成し、ドア内部の開口部と対向する位置に、ガラス等の透光性パネルを縦横桟で四周枠組みしたパネルユニットを設置して形成している。パネルの開口部と透光性パネルとの隙間には、樹脂製のビード等が開口部の縁に沿って設置され、開口部からの雨水の浸入を防止している。またパネルユニットは、ドア内部の左右縦枠間に架設した横材に支持している。
従来、採光用窓の形状は四角形や、せいぜい円形でしかなく、且つ一つのパネルユニットに対して開口部が一つしかないため、何ら特別な印象を与えるものではなかった。
【先行技術文献】
【特許文献】
【０００３】
【特許文献１】特開２００８−１４４５０２号公報
【発明の概要】
【発明が解決しようとする課題】
【０００４】
本発明は以上に述べた実情に鑑み、採光用窓のデザイン性を高めた斬新なドアの提供を目的とする。
【課題を解決するための手段】
【０００５】
上記の課題を達成するために請求項１記載の発明によるドアは、表側又は裏側に配置したドアパネルと、ドアパネルと対向して配置した透光性パネルとを備え、ドアパネルには、透光性パネルが配置された位置に採光用小窓が複数形成してあることを特徴とする。
【０００６】
請求項２記載の発明によるドアは、表裏のドアパネルと、ドア内部に配置した透光性パネルとを備え、表裏何れか一方のドアパネルには、透光性パネルが配置された位置に採光用小窓が複数形成してあり、他方のドアパネルには、透光性パネルの略全域にわたる開口部が形成してあることを特徴とする。
【０００７】
請求項３記載の発明によるドアは、表裏のドアパネルと、ドア内部に配置した透光性パネルとを備え、表裏何れか一方のドアパネルには、透光性パネルが配置された位置に採光用小窓が複数形成してあり、他方のドアパネルには、複数の採光用小窓を囲むように開口部が形成してあることを特徴とする。
【０００８】
請求項４記載の発明によるドアは、請求項１，２又は３記載の発明の構成に加え、複数の採光用小窓が集まって一つの模様を構成していることを特徴とする。
【０００９】
請求項５記載の発明によるドアは、請求項１，２，３又は４記載の発明の構成に加え、ドアパネルと透光性パネルとの間に所定の間隔を有し、採光用小窓には透光性パネルに向けて延びる内周縁部を有することを特徴とする。
【００１０】
請求項６記載の発明によるドアは、請求項１，２，３，４又は５記載の発明の構成に加え、ドアパネルと透光性パネルとの間に所定の間隔を有し、採光用小窓にキャップが嵌め込んであり、キャップの先端部が透光性パネルに当接又は近接していることを特徴とする。
【００１１】
請求項７記載の発明によるドアは、請求項１，２，３，４，５又は６記載の発明の構成に加え、ドアパネルと透光性パネルとの間に所定の間隔を有し、ドアパネルと透光性パネルとの間の間隔にスペーサーを配置したことを特徴とする。
【発明の効果】
【００１２】
請求項１記載の発明によるドアは、表側又は裏側に配置したドアパネルと、ドアパネルと対向して配置した透光性パネルとを備え、ドアパネルには、透光性パネルが配置された位置に採光用小窓が複数形成してあるので、採光用小窓を適宜形状・配置で自由に設けることができ、デザイン的に強くアピールするものとなる。また、表側と裏側の一方のドアパネルにのみ採光用小窓を形成したことで、ドアの表側と裏側とで異なった印象を与えられる。本発明のドアによれば、複数の採光用小窓より木漏れ日のような細分化されたやさしい光を屋内に取り込むことができると共に、床や壁に採光用小窓が投影されるので、居心地が良く且つ趣きのある屋内空間を演出でき、また夜間には採光用小窓が屋内の光が漏れることで発光し、ライトアップ効果が得られる。
【００１３】
請求項２記載の発明によるドアは、表裏のドアパネルと、ドア内部に配置した透光性パネルとを備え、表裏何れか一方のドアパネルには、透光性パネルが配置された位置に採光用小窓が複数形成してあり、他方のドアパネルには、透光性パネルの略全域にわたる開口部が形成してあるので、採光用小窓を適宜形状・配置で自由に設けることができ、デザイン的に強くアピールするものとなる。また、一方のドアパネル側から見ると採光用小窓が分散して見え、他方のドアパネル側から見ると透光性パネルがほぼ全部見え、透光性パネル越しに採光用小窓がのぞく状態となり、ドアの表側と裏側とで異なった印象を与えられる。本発明のドアによれば、複数の採光用小窓と開口部を通じて木漏れ日のような細分化されたやさしい光を屋内に取り込むことができると共に、床や壁に採光用小窓が投影されるので、居心地が良く且つ趣きのある屋内空間を演出でき、また夜間には採光用小窓が屋内の光が漏れることで発光し、ライトアップ効果が得られる。
【００１４】
請求項３記載の発明によるドアは、表裏のドアパネルと、ドア内部に配置した透光性パネルとを備え、表裏何れか一方のドアパネルには、透光性パネルが配置された位置に採光用小窓が複数形成してあり、他方のドアパネルには、複数の採光用小窓を囲むように開口部が形成してあるので、採光用小窓を適宜形状・配置で自由に設けることができ、デザイン的に強くアピールするものとなる。また、一方のドアパネルの採光用小窓と他方のドアパネルの開口部とで形状が異なるため、ドアの表側と裏側とで異なった印象を与えられる。本発明のドアによれば、複数の採光用小窓と開口部を通じて木漏れ日のような細分化されたやさしい光を屋内に取り込むことができると共に、床や壁に採光用小窓が投影されるので、居心地が良く且つ趣きのある屋内空間を演出でき、また夜間には採光用小窓が屋内の光が漏れることで発光し、ライトアップ効果が得られる。
【００１５】
請求項４記載の発明によるドアは、複数の採光用小窓が集まって一つの模様を構成することにより、より一層デザイン性を高められる。
【００１６】
請求項５記載の発明によるドアは、採光用小窓に透光性パネルに向けて延びる内周縁部を有しているので、採光用小窓に指を入れてケガをしたり、採光用小窓の端縁が錆びたりするのを防止できる。
【００１７】
請求項６記載の発明によるドアは、採光用小窓にキャップが嵌め込んであり、キャップの先端部が透光性パネルに当接又は近接しているので、採光用小窓に指を入れてケガをしたり、採光用小窓の端縁が錆びたりするのを防止する効果をより一層高められる。さらに、採光用小窓を光を漏らさずに通過させ、採光用小窓の形状を室内の壁や床等にそのまま投影できるようにする効果がある。また、採光用小窓からの雨水の浸入を抑えることができる。
【００１８】
請求項７記載の発明によるドアは、ドアパネルと透光性パネルとの間の間隔にスペーサーを配置したことにより、ドアパネルのへこみを防止できる。
【図面の簡単な説明】
【００１９】
【図１】（ａ）は本発明の第１実施形態に係る玄関ドアの室外側正面図であり、（ｂ）は同ドアの室内側正面図である。
【図２】図１に示すドアの、室外側のドアパネルを取外した状態の室外側正面図である。
【図３】図１のＡ−Ａ断面図である。
【図４】図１のＢ−Ｂ断面図である。
【図５】（ａ）は採光用小窓及びキャップを示す斜視図であり、（ｂ）はキャップの取付状態を示す縦断面図である。
【図６】（ａ），（ｂ）は第１実施形態の玄関ドアの変形例を示す室外側正面図である。
【図７】（ａ）は本発明の第２実施形態に係る玄関ドアの室外側正面図であり、（ｂ）は同ドアの室内側正面図である。
【図８】図７に示すドアの、室外側のドアパネルを取外した状態の室外側正面図である。
【図９】図７のＡ−Ａ断面図である。
【図１０】図７のＢ−Ｂ断面図である。
【発明を実施するための形態】
【００２０】
以下、本発明の実施の形態を図面に基づいて説明する。図１〜４は、本発明のドアの第１実施形態に係る玄関ドアを示している。この玄関ドアは、玄関の開口部に固定したドア枠（図示省略）に蝶番１０にて開閉自在に取付けられるものであり、図２に示すように、外周部に上枠１１と下枠１２と左右の縦枠１３ａ，１３ｂとからなる枠を有し、ドア内部にはガラスパネル２を縦横桟１４ａ，１４ｂ，１５ａ，１５ｂで支持したガラスユニット１６が設けてあり、ドア内部の他の領域には断熱パネル１７が設けてあり、ドアの室外側面と室内側面には金属の薄い板で形成したドアパネル１ａ，１ｂがそれぞれ貼り付けてある。図１に示すように、ドアの戸先側には、ハンドル１８と施錠装置１９ａ，１９ｂが設けてある。
【００２１】
図１（ａ）に示すように、室外側のドアパネル１ａは、ドア内部のガラスパネル２と対向する左上部分と右下部分に、リーフ形状の採光用小窓３がそれぞれ複数設けてある。採光用小窓３は、大小２種類の大きさのものがあって、それぞれ一点から放射状に４つずつ配置してあり、４つの採光用小窓３，３，…が集まって花の模様４ａを構成している。
一方、室内側のドアパネル１ｂは、図１（ｂ）に示すように、ガラスパネル２の略全体がのぞくように開口部５が大きく形成してある。
【００２２】
図３，４に示すように、室外側のドアパネル１ａとガラスパネル２との間には１０ｍｍ程度の間隔Ｓが設けてあり、各採光用小窓５は、図５（ｂ）に示すように、曲げ加工（絞り加工）によりガラスパネル２に向けて延びる内周縁部６が形成され、さらにその内側に樹脂で形成したリング状のキャップ７が嵌め込んである。キャップ７は、内周面７ａがドア外側に向けて若干末広がり状となるようにテーパーが付けてあり、外周面には抜け止め用の突起７ｂが形成してある。キャップ７の先端面７ｃはガラスパネル２に当接している。上記の構成により、採光用小窓３に指を入れてケガをしたり、採光用小窓３の端縁が錆びたりするのを防止でき、さらには採光用小窓３からの雨水の浸入が抑えられている。また、このように採光用小窓３にキャップ７を嵌め込むことで、採光用小窓３を光を漏らさずに通過させ、採光用小窓３の形状を室内の壁や床等にそのまま投影できるようにする効果がある。なおキャップ７は、必ずしも先端面７ｃがガラスパネル２にぴったり当接していなくてもよく、先端面７ｃが部分的にガラスパネル２に当接するものや、先端面７ｃとガラスパネル２との間に若干隙間があってもよい。
【００２３】
室外側のドアパネル１ａとガラスパネル２との間の間隔Ｓには、図２〜４に示すように、ゴム等で形成した円柱状のスペーサー８が、採光用小窓３の位置を避けるように分散して配置してあり、これらのスペーサー８によりドアパネル１ａのへこみを防止している。さらに、採光用小窓３が形成されていない中央部から右上の領域には、ドアパネル１ａとガラスパネル２との隙間Ｓに断熱パネル２０を設置している。スペーサー８と断熱パネル２０は、ドアパネル１ａの裏面及びガラスパネル２の室外側面の少なくとも何れか一方に接着して取り付けられる。
【００２４】
ガラスユニット１６は、図２に示すように、上下の横桟１４ａ，１４ｂと左右の縦桟１５ａ，１５ｂとで区画された枠内にガラスパネル２（複層ガラス）を支持して構成されている。縦桟１５ａ，１５ｂは、下側の横桟１４ｂよりも下方に突出しており、縦桟１５ａ，１５ｂの下端を下枠１２上に支持してある。横桟１４ａ，１４ｂと縦桟１５ａ，１５ｂは、図３，４に示すように、アルミニウム合金の押出形材よりなる本体部材２２と、本体部材２２の室内側面にビス２３で取付けた押縁部材２４とを有し、本体部材２２の室外側に内周側に突出して設けた支持片２５と押縁部材２４とでガラスパネル２の周縁部を挟持している。押縁部材２４は、室内側のドアパネル１ｂの開口部５の縁部に係止するように取付けられ、押縁部材１４の室内側面には樹脂製の額縁部材２６を取付けてある。
図２中の点線２７は、採光用小窓３から浸入した雨水の排水経路を示しており、採光用小窓３から浸入した雨水は、下側の横桟１４ｂから縦桟１５ｂの中空部２１（図４参照）内へと導かれ、中空部２１を通じて下枠１２内に落ち、下枠１２の端部に形成された水抜き孔２８よりドア外部へと排水される。
【００２５】
次に、このドアの組み立て手順を説明する。室内側のドアパネル１ｂの裏面に接着剤を塗布し、その上に上枠１１、下枠１２、左右の縦枠１３ａ，１３ｂ、縦横桟１４ａ，１４ｂ，１５ａ，１５ｂを組み立てたもの、断熱パネル１７を所定の位置に配置する。その後、室外側のドアパネル１ａの裏面に接着剤を塗布し、その上に貼り合わせる。その後、全体をプレス機でプレスする。その後、室内側のドアパネル１ｂの開口部５よりガラスパネル２をドア内部に納め、押縁部材２４を取付けてガラスパネル２を固定する。その後、ハンドル１８、錠装置１９ａ，１９ｂ等の部品を取付ける。ガラスパネル２の取付けは、室外側のドアパネル１ａを貼り合わせる前に行うこともできる。
【００２６】
図６は、第１実施形態の玄関ドアの変形例であり、ドア内部にガラスユニット１６を上述のものと同様に配置し、室外側のドアパネル１ａへの採光用小窓３の設け方を変更したものである。図６（ａ）の例は、ガラスパネル２に対向する左上の領域と右下の領域に、大小のリーフ形状の採光用小窓３，３，…をそれぞれ向きを異ならせて複数配置し、落ち葉が流れるような模様４ｂを構成している。図６（ｂ）の例は、ガラスパネル２に対向するドア中央の上方寄りの位置に、大小のリーフ形状の採光用小窓３，３，…が角度を少しずつ変化させながら大きな円を描くように複数並べて配置してあり、これら複数の採光用小窓３，３，…はキャンドルの灯をイメージした模様４ｃになっている。
【００２７】
以上に述べた玄関ドアは、室外側のドアパネル１ａにリーフ形状の採光用小窓３，３，…が複数設けてあり、これら複数の採光用小窓３，３，…が集まって植物等をモチーフにした模様４ａ，４ｂ，４ｃを成しているので、室外側から本ドアを見たときに、さながら絵画のように見る人に強くアピールするものとなる。一方、室内側から本ドアを見ると、ドア面の大部分がガラスパネル２となり、ガラスパネル２越しに室外側のドアパネル１ａの採光用小窓３，３，…がのぞく状態となり、室外側とはまた違ったクールな印象になる。
さらに本玄関ドアは、室外側のドアパネル１ａに複数の採光用小窓３，３，…がガラスパネル２に対向して設けてあり、室内側のドアパネル１ｂはガラスパネル２の略全体がのぞくように大きく開口部５を設けてあるため、各採光用小窓３，３，…より木漏れ日のような細分化されたやさしい光を屋内に取り込むことができると共に、床や壁に採光用小窓３，３，…が投影されることで、居心地が良く且つ趣きのある屋内空間を演出できる。また夜間には、採光用小窓３，３，…から屋内の光が漏れることで、ライトアップ効果が得られる。
採光用小窓３は、自由な形状、配置で設けることができ、デザインの変更が容易である。ガラスユニット２は、縦桟１５ａ，１５ｂを下側の横桟１４ｂよりも下方に突出させ、縦桟１５ａ，１５ｂの下端を下枠１２上に支持することで、ガラスユニット１６を支持する部材をドア内に別途架設する必要がなく、材料費が抑えられると共に、ドア内部の構造がシンプルになってドアの組立てが容易に行える。
各採光用小窓３にはキャップ７が嵌め込んであるので、採光用小窓３に指が入らず、且つ雨水の浸入を抑えることができる。また当該キャップ７を有することで、採光用小窓３を光を漏らさずに通過させ、採光用小窓３の形状を室内の壁や床等にそのまま投影できる。
たとえ採光用小窓３から雨水が浸入しても、横桟１４ｂと縦桟１５ｂ及び下枠１２を通じて外部に速やかに排水できる。また、ドアパネル１ａとガラスパネル２との間の間隔Ｓにスペーサー８が分散して配置してあるため、ドアパネル１ａのへこみを防止できる。
【００２８】
図７〜１０は、本発明のドアの第２実施形態に係る玄関ドアを示している。この玄関ドアは、図８に示すように、ドア内部の左上の領域と右下の領域の２箇所に、ガラスパネル２ａ，２ｂをそれぞれ縦横桟１４ａ，１４ｂ，１５ａ，１５ｂで支持したガラスユニット１６ａ，１６ｂが設けてある。室外側のドアパネル１ａは、図７（ａ）に示すように、ガラスパネル２ａ，２ｂと対向する左上と右下の領域に、大小の複数のリーフ形状の採光用小窓３，３，…を、花の模様４ａをなすように配置してある。室内側のドアパネル１ｂは、図７（ｂ）に示すように、花の模様４ａを成すように配置された４つずつの採光用小窓３，３，…をそれぞれ囲むように、円形の開口部５を設けている。当該開口部５は、図９，１０に示すように、採光用小窓３と同じようにガラスパネル２ａ，２ｂに向けて延びる内周縁部２９が形成され、その内側に樹脂製のキャップ３０を嵌め込んである。
【００２９】
上側のガラスユニット１６ａは、図８に示すように、上下の横桟１４ａ，１４ｂと左右の縦桟１５ａ，１５ｂとで区画された枠内にガラスパネル２ａを支持して構成されている。横桟１４ａ，１４ｂと縦桟１５ａ，１５ｂは、図９，１０に示すように、略Ｈ形断面のアルミニウム合金の押出形材で構成され、内周側に開口した溝３１内にガラスパネル２ａの縁部をグレイジングチャンネル３２を介して保持している。横桟１４ａ，１４ｂおよび縦桟１５ａ，１５ｂの室内側面には、樹脂製の断熱形材３３が嵌め込んである。下側の横桟１４ｂは、図８に示すように、左右の端部が左右の縦桟１５ａ，１５ｂよりも突出しており、同横桟１４ｂの左右の端部を左右の縦枠１３ａ，１３ｂに形成した切り欠き部３４ａ，３４ｂに係止することで、ガラスユニット１６ａがドア内で固定されている。また下側の横桟１４ｂには、採光用小窓３より浸入した雨水を排水するための水抜き孔（図示省略）を溝３１の底面に有し、図８に示すように、水抜き孔の下方より右側の縦枠１３ｂにかけて樋部材３５を渡してあり、雨水は樋部材３５と縦枠１３ｂ内を通じて下枠１２内に落ち、下枠１２端部に形成した水抜き孔２８(図１０参照)よりドア外部に排水される。
下側のガラスユニット１６ｂは、下側の横桟１４ｂを下枠１２上に載置し、右側の縦桟１５ｂを右側の縦枠１３ｂに当接して配置してある。下側の横桟１４ｂには水抜き孔が形成してあり、採光用小窓３から浸入した雨水は水抜き孔より下枠１２内に落ち、下枠１２端部に形成した水抜き孔２８よりドア外部に排水される。
【００３０】
上述の第２実施形態の玄関ドアは、室外側のドアパネル１ａにリーフ形状の採光用小窓３，３，…が花の模様４ａを成すように配置され、室内側のドアパネル１ｂにはその花の模様４ａをそれぞれ囲むように円形の開口部５を形成したので、第１実施形態のものと同様に、採光用小窓３，３，…より木漏れ日のような細分化されたやさしい光を屋内に取り込むことができると共に、床や壁に採光用小窓３，３，…が投影されることで、居心地が良く且つ趣きのある屋内空間を演出できる。また夜間には、採光用小窓から屋内の光が漏れることで、ライトアップ効果が得られる。採光用小窓３と開口部５の形状が異なるため、室外側と室内側とで異なったデザインにできる。ガラスユニット１６ａ，１６ｂを分割してドア内の任意の位置に配置することで、採光用小窓３の配置の自由度を向上できる。また、下側の横桟１４ｂの端部を縦桟１５ａ，１５ｂよりも突出させ、横桟１４ｂを左右の縦枠１３ａ，１３ｂ間に架設することで、余計な桟をドア内部に架設することなく、ハンドル１８や施錠装置１９ａ，１９ｂが取り付く部分をうまく避けて、ガラスユニット１６ａをドア内の上方位置や中間高さ位置に容易に設置できる。
【００３１】
本発明は、以上に述べた実施形態に限定されない。採光用小窓の形状は、リーフ形状に限らず、円形、矩形、ひし形、ハート形など、自由な形状とすることができる。複数の採光用小窓により構成される模様は、植物等をモチーフにしたものに限らず、幾何学的な模様であってもよい。本発明のドアは、玄関や勝手口等の屋外に面したものに限らず、屋内に取付けられるものであってもよい。
【符号の説明】
【００３２】
１ａ，１ｂ  ドアパネル
２，２ａ，２ｂ  ガラスパネル（透光性パネル）
３  採光用小窓
４ａ，４ｂ，４ｃ  模様
５  開口部
６  採光用小窓の内周縁部
７  キャップ
８  スペーサー
Ｓ  ドアパネルと透光性パネルとの間の間隔
【図１】
2010275730.tif 000003
【図２】
2010275730.tif 000004
【図３】
2010275730.tif 000005
【図４】
2010275730.tif 000006
【図５】
2010275730.tif 000007
【図６】
2010275730.tif 000008
【図７】
2010275730.tif 000009
【図８】
2010275730.tif 000010
【図９】
2010275730.tif 000011
【図１０】
2010275730.tif 000012